(57)【要約】【課題】腐敗菌の繁殖を防止でき、家族の食事時間に合わせて食味レベルの高い米飯を提供すると共に、省エネを図ることができる炊飯器を提供する。【解決手段】米飯を収容する内鍋１３と、内鍋１３を加熱して米飯を炊飯する炊飯手段１７と、内鍋１３を加熱して米飯を保温する保温手段１８,１９と、炊飯手段１７と保温手段１８,１９とを制御する制御手段３７とを備え、制御手段３７が、炊飯手段１７による炊飯を実行した後、保温手段１８,１９による米飯の保温温度を高温保温温度から、高温保温温度よりも低温である低温保温温度に切り替える省エネ保温機能を備えた炊飯器１１において、炊飯実行後の省エネ保温機能における高温保温温度から前記低温保温温度への切り替え時間を、あらかじめ任意に設定可能とする。【選択図】図５
2010000200.tif 000002
【特許請求の範囲】
【請求項１】
米飯を収容する内鍋と、該内鍋を加熱して前記米飯を炊飯する炊飯手段と、前記内鍋を加熱して前記米飯を保温する保温手段と、前記炊飯手段と前記保温手段とを制御する制御手段とを備え、該制御手段が、前記炊飯手段による炊飯実行後に、前記保温手段による米飯の保温温度を高温保温温度から、該高温保温温度よりも低温である低温保温温度に切り替える省エネ保温機能を備えた炊飯器において、
前記炊飯実行後の省エネ保温機能における前記高温保温温度から前記低温保温温度への切り替え時間を、あらかじめ任意に設定可能としたことを特徴とする炊飯器。
【請求項２】
前記炊飯実行後の省エネ保温機能における前記高温保温温度から前記低温保温温度への切り替え時間を、ユーザがあらかじめ任意に設定可能としたことを特徴とする請求項１に記載の炊飯器。
【請求項３】
前記省エネ保温機能は、前記制御手段により、前記高温保温温度から切り替わった前記低温保温温度が更に、高温保温温度に切り替えられ
前記炊飯実行後の省エネ保温機能における前記低温保温温度から前記高温保温温度への切り替え時間を、あらかじめ任意に設定可能としたことを特徴とする請求項１又は２に記載の炊飯器。
【発明の詳細な説明】
【技術分野】
【０００１】
本発明は、炊飯ジャー等の炊飯器に関するものである。
【背景技術】
【０００２】
一般に、使用される地域や設置される場所により、炊飯器が置かれる室温が異なる。室温が高いと飯温は全体的に低くなり、室温が低いと飯温は高くなる傾向があり、このうち、飯温が低いと腐敗菌の繁殖が活発になるという問題があった。
【０００３】
また、炊飯後のご飯には水分が多く含まれているため、腐敗菌の繁殖は、保温数時間後よりも炊飯実行後の方が繁殖しやすいという問題があった。
【０００４】
更に、生産される米に付着する腐敗菌の種類は、地域毎（例えば日本と台湾など）に異なり、腐敗菌の種類により繁殖の度合いも異なるという問題があった。
【０００５】
そしてまた、昨今の食事時間は家族の中においても異なる傾向があり、低温保温への移行は、家族の状況に合わせて移行することが好ましい。
【０００６】
そこで、特許文献１には、おやすみ保温スイッチをオンすることにより低温保温温度による保温、高温保温温度による保温、通常保温温度による保温を順に繰り返すサイクル保温を実行する炊飯器が記載されている。
【０００７】
特許文献２には、炊飯を開始する前に保温時間を予め設定すると、ご飯の保温制御を、保温時間に合わせて調整する炊飯器が記載されている。
【０００８】
しかし、特許文献１に記載の炊飯器では、おやすみ保温スイッチのオンを忘れるとサイクル保温は実行されずに高温での保温状態が続き、省エネ保温に繋がらないという問題があった。
【０００９】
特許文献２に記載の炊飯器では、ご飯の保温制御自体は設定できない。このため、使用される地域や設置される場所の室温に応じて、また生産される米に付着する腐敗菌の種類に応じて最適な保温制御を行うことができず、腐敗菌の繁殖しやすい保温制御を余儀なくされていた。
【００１０】
具体的には、特許文献２に記載の炊飯器では、ご飯の保温時間を制御して、炊飯後に高温保温時間を長く設けることにより腐敗菌の繁殖を防止したり、更に家族の食事時間に合わせて高温保温から低温保温への切り替え、及び低温保温から高温保温への切り替えを設定できないという問題があった。
【００１１】
【特許文献１】特開平１０−５１２７号公報
【特許文献２】特開２００７−２４４７１０号公報
【発明の開示】
【発明が解決しようとする課題】
【００１２】
本発明は、前記従来の問題点に鑑みてなされたもので、腐敗菌の繁殖を防止でき、家族の食事時間に合わせて食味レベルの高い米飯を提供すると共に、省エネを図ることができる炊飯器を提供することを課題とする。
【課題を解決するための手段】
【００１３】
前記課題を解決するための手段として、本発明に係る炊飯器は、米飯を収容する内鍋と、該内鍋を加熱して前記米飯を炊飯する炊飯手段と、前記内鍋を加熱して前記米飯を保温する保温手段と、前記炊飯手段と前記保温手段とを制御する制御手段とを備え、該制御手段が、前記炊飯手段による炊飯実行後に、前記保温手段による米飯の保温温度を高温保温温度から、該高温保温温度よりも低温である低温保温温度に切り替える省エネ保温機能を備えた炊飯器において、前記炊飯実行後の省エネ保温機能における前記高温保温温度から前記低温保温温度への切り替え時間を、あらかじめ任意に設定可能としたものである。
【００１４】
炊飯実行後の省エネ保温機能における高温保温温度から低温保温温度への切り替え時間を、あらかじめ任意に設定できる。このため、炊飯器が使用される地域や設置される場所の、例えば室温に応じて前記切り替え時間を設定することで、飯温が低くなることによる腐敗菌の繁殖を防止することができる。即ち、炊飯器が設置される環境により異なる腐敗菌の繁殖する度合いにあわせて、例えば、室温が高い地域や設置場所で使用する場合には高温保温温度から低温保温温度への切り替え時間を長くして、室温が低い地域や設置場所で使用する場合には、高温保温温度から低温保温温度への切り替え時間を短くするなど、最適な保温制御を設定することができる。
【００１５】
また、生産される米に付着する腐敗菌の種類に合わせて地域毎（例えば日本と台湾）に切り替え時間を設定することで、地域により異なる腐敗菌の繁殖の度合いに応じた保温制御に設定することができる。
【００１６】
炊飯実行後の高温保温時間を長く設定できるので、繁殖しやすい炊飯実行後の腐敗菌の繁殖を防止することができる。
【００１７】
前記炊飯実行後の省エネ保温機能における前記高温保温温度から前記低温保温温度への切り替え時間を、ユーザがあらかじめ任意に設定可能としたことが好ましい。
【００１８】
高温保温温度から低温保温温度への切り替え時間は、炊飯前にあらかじめユーザが任意に設定することで自動に切り替わるため、一旦設定するとその後はスイッチの操作が必要なく、スイッチの操作を忘れて高温保温が続くことによる米飯の黄変や、消費電力の増加を防止して省エネを図ることができる。
【００１９】
更に、食事時間は家族の中でも異なる傾向があり、ご飯の食味は高温保温温度での保温時の方が美味しいため、高温保温温度から低温保温温度への切り替え時間を家族の食事時間に合わせて設定することにより、家族全員が美味しいご飯を食することができる。
【００２０】
そして、一般に食事時間のパターンは、一家族においては同じであり、切り替え時間を一旦設定するとその後はスイッチの操作が必要ないので、いつも忘れることなく炊飯後一定時間経過後に自動的に低温保温に移行し、長時間の保温にも耐えうる。
【００２１】
前記省エネ保温機能は、前記制御手段により、前記高温保温温度から切り替わった前記低温保温温度が更に、高温保温温度に切り替えられ前記炊飯実行後の省エネ保温機能における前記低温保温温度から前記高温保温温度への切り替え時間を、あらかじめ任意に設定可能としたことが好ましい。
【００２２】
低温保温温度から高温保温温度への切り替え時間を設定することができるので、環境の違いによる腐敗や黄変の進行に合わせて保温時間を設定して、食味レベルの高いご飯を提供することができる。また、家族の食事時間に合わせて低温保温から高温保温へ切り替えることで、高温で保温された美味しいご飯を食することができる。
【発明の効果】
【００２３】
本発明の炊飯器によれば、炊飯実行後の省エネ保温機能における高温保温温度から低温保温温度への切り替え時間を、あらかじめ任意に設定できる。このため、炊飯器が使用される地域や設置される場所の、例えば室温に応じて前記切り替え時間を設定することで、飯温が低くなることによる腐敗菌の繁殖を防止することができる。即ち、炊飯器が設置される環境により異なる腐敗菌の繁殖する度合いにあわせて、例えば、工場出荷時に、あるいはユーザが最適な保温制御を設定することができる。また、生産される米に付着する腐敗菌の種類に合わせて地域毎（例えば日本と台湾）に切り替え時間を設定することで、地域により異なる腐敗菌の繁殖の度合いに応じた保温制御に設定することができる。更に、炊飯実行後の高温保温時間を長く設定できるので、繁殖しやすい炊飯実行後の腐敗菌の繁殖を防止することができる。
【発明を実施するための最良の形態】
【００２４】
次に、添付図面を参照して本発明の実施形態に係る炊飯器を詳細に説明する。
【００２５】
図１は、本発明の実施形態に係る炊飯器１１を示す。この炊飯器１１は、有底胴状の本体１２と、該本体１２内に配設され、米飯を収容する容器である内鍋１３と、ヒンジ軸１４周りに回動自在に本体１２に軸支された蓋体１５とからなる公知の炊飯器である。
【００２６】
本体１２の内底には、内鍋１３の底部を加熱する炊飯手段である炊飯ヒータ１７が設けられている。また、本体１２の内側側面には内鍋１３の外周面を加熱する保温手段である保温ヒータ１８が配設されている。一方、蓋体１５の内面には内鍋１３の上端開口部を密閉する内蓋１６が取り付けられ、この内蓋１６には保温手段である保温ヒータ１９が配設されている。
【００２７】
本体１２の正面には、図２に示すユーザが動作条件を入力したり、炊飯器１１の動作状態を表示するための操作パネル２１が配設されている。
【００２８】
この操作パネル２１は、中央の液晶パネル２２の周囲に、入力手段であるスイッチ２４〜３１を配設したものである。具体的には、操作パネル２１には、右側に、炊飯はもちろん選択したコースを実行させるための炊飯スイッチ２４と、希望時刻にご飯を炊きあげる予約機能を選択するための予約スイッチ２５と、時刻や時間を設定するための黒塗り△印の上スイッチ２６及び黒塗り▽印の下スイッチ２７とが配設されている。また、操作パネル２１の左側に、実行中の動作または条件の選択を停止させるとりけしスイッチ２８と、無洗米を炊く際に使用する無洗米スイッチ２９と、炊飯条件を選択するためのメニュースイッチ３０と、保温制御（コース）を選択して実行させる保温選択スイッチ３１とが配設されている。
【００２９】
また、操作パネル２１の中央には、後述するＣＰＵ３８が内蔵したドライバによって表示するセグメント表示方式の表示手段である液晶パネル２２が配設されている。この液晶パネル２２には、現在時刻や動作の残時間等を表示する数値表示３３と、省エネ保温経過時間を設定する工程を表す保温表示３４と、複数の炊飯メニューのなかの選択状態を示すための印表示３５とが設けられている。
【００３０】
炊飯メニューとしては、白米及び白米急速と、炊きこみと、すしめしと、おかゆと、おこわと、玄米及び玄米活性と、ケーキとが設けられ、これらの文字表示が各印表示３５の横に刻設されている。
【００３１】
操作パネル２１は制御手段である制御基板３７に接続され、制御基板３７に実装されたＣＰＵ３８は、ＲＯＭ３９に予め記憶された各炊飯メニューのプログラムに従って炊飯処理を実行した後、続いて保温処理に移行するものである。また、ＲＯＭ３９は、予め設定した保温条件等を記憶する。また、ＲＯＭ３９のデータを読み込み、一時的に記憶するＲＡＭ４０が設けられている。制御基板３７に接続された電源装置４１は、炊飯ヒータ１７と保温ヒータ１８、１９とに電力を供給する。
【００３２】
次に、前記構成からなる炊飯器における省エネ保温経過時間設定処理について、図５のフローチャートを用いて具体的に説明する。
【００３３】
本実施形態では、複数のスイッチ、例えば予約スイッチ２５、メニュースイッチ３０、無洗米スイッチ２９を同時にオンすることにより液晶パネル２２で表示しながら、高温で保温処理を実行する省エネ保温経過時間ａを設定可能とし、保温選択スイッチ３１を押すことによって、低温で保温処理を実行する省エネ保温経過時間ｂを設定することができる省エネ保温経過時間設定処理機能が設けられている。この省エネ保温経過時間設定処理機能は、商品の出荷時に工場の製造ラインで、又はユーザが家庭で、炊飯処理を行う前に予め設定することにより実行される。
【００３４】
この省エネ保温経過時間設定処理では、ＣＰＵ３８はまず、ステップＳ１で、取消モードであるか否かを検出する。取消モードとはＣＰＵ３８が他の動作状態にはないことをいう。取消モードである場合にはステップＳ２に進み、取消モードでない場合には省エネ保温経過時間設定処理を終了する。
【００３５】
ステップＳ２では、前記予約スイッチ２５、メニュースイッチ３０、無洗米スイッチ２９が全て同時に操作されてオンレベルになっているか否かを検出する。これらのスイッチ２５、３０、２９がオンレベルである場合にはステップＳ３に進み、オンレベルでない場合には省エネ保温経過時間設定処理を終了する。
【００３６】
ステップＳ３では、省エネ保温経過時間ａ及びｂのデータをクリアして、ステップＳ４に進む。
【００３７】
ステップＳ４では、省エネ保温経過時間ａのデータセットを要求し、図３（ａ）に示すようにＲＯＭ３９に記憶した省エネ保温経過時間ａとして２時間を読み込み、ステップＳ８でその時間を液晶パネル２２に表示させる。そして、ステップＳ９に進んで、上スイッチ２６又は下スイッチ２７がオンされていると判断すると、ステップＳ４に戻り、上スイッチ２６がオンされたのであれば、図３（ｂ）と（ｃ）とに示すように液晶パネル２２の数値、すなわち省エネ保温経過時間ａを１時間単位でインクリメントさせ、下スイッチ２７がオンされたのであれば省エネ保温経過時間ａをデクリメントさせる。本実施形態においては、省エネ保温経過時間ａとして４時間が設定されている。
【００３８】
また、保温選択スイッチ３１がオンされるとステップＳ５に進み、省エネ保温経過時間ｂのデータセットを要求し、図４（ａ）に示すようにＲＯＭ３９に記憶した省エネ保温経過時間ｂとして１２時間を読み込み、ステップＳ６でその時間を液晶パネル２２に表示させる。次に、ステップＳ７に進んで、上スイッチ２６又は下スイッチ２７がオンされていると判断すると、ステップＳ５に戻り、上スイッチ２６がオンされたのであれば、省エネ保温経過時間ｂを１時間単位でインクリメントさせ、下スイッチ２７がオンされたのであれば、図４（ｂ）と（ｃ）とに示すように省エネ保温経過時間ｂをデクリメントさせる。本実施形態においては、省エネ保温経過時間ｂとして１０時間が設定されている。ステップＳ７とステップＳ９とで、上スイッチ２６又は下スイッチ２７が所定の時間、オンされないと、ステップＳ１０に進む。
【００３９】
ステップＳ１０では、省エネ保温経過時間ａとｂとのデータを確定し、ステップＳ１１に進む。
【００４０】
ステップＳ１１では、確定データを記憶して、ステップＳ１２に進む。
【００４１】
ステップＳ１２では、確定データの記憶後、自動的にとりけしスイッチがオンされるので、該オンレベルを検出して、省エネ保温経過時間設定処理を終了する。
【００４２】
次に、ＣＰＵ３８による保温実行時間の制御について、図６のフローチャートを用いて具体的に説明する。
【００４３】
保温実行時間の制御は、高温で保温する省エネ保温１から低温で保温する省エネ保温２への切り替え、更に省エネ保温２から保温温度を高温に移行する省エネ保温３及び高温で保温する省エネ保温４への切り替えを制御する。
【００４４】
ここで省エネ保温とは、図７（ａ）に示す省エネ保温１から省エネ保温４までで構成されている。省エネ保温１は、符号Ａに示される保温であり、炊飯後に７０℃で高温保温することである。省エネ保温２は、符号Ｂに示される保温であり、７０℃の高温保温に続いて６０℃で低温保温することである。省エネ保温３は、符号Ｃに示される保温であり、６０℃の低温保温から７０℃の高温保温へ移行する間の保温である。省エネ保温４は、符号Ｄに示される保温であり、７０℃で高温保温することである。
【００４５】
保温をスタートすると、ＣＰＵ３８は、ステップＳ２１で保温の記憶が省エネ保温か否かを検出する。省エネ保温でない場合にはステップＳ２２に進み、図７（ｂ）のＥに示す高温保温１を実行する。そして、サイドセンサ（図示せず）で内鍋１３の温度を検出して、所定の温度になればステップＳ２３に進む。ステップＳ２３では図７（ｂ）のＦに示す７０℃に保つ高温保温３を実行する。ステップＳ２１で、保温の記憶が省エネ保温である場合、またはステップＳ２２かステップＳ２３のいずれかで保温選択スイッチ３１がオンされると、ステップＳ２４に進む。
【００４６】
ステップＳ２４では、サイドセンサにより内鍋１３の温度を検出して、所定の値であるＮ℃以上、例えば３０℃であるか否かを検出する。サイドセンサが検出する温度がＮ℃以上である場合にはステップＳ２５に進み、Ｎ℃以下である場合には、ステップＳ２３に移行する。つまり、サイドセンサが検出する内鍋１３の温度、すなわちご飯の温度が３０℃以上である場合にはステップＳ２５から先の省エネ保温に進むことができるが、ご飯の温度が３０℃未満の場合には、ステップＳ２３の高温保温３に移行する。
【００４７】
ステップＳ２５では、炊飯メニューが省エネ保温可能メニューか否かを検出する。例えば炊飯メニューとして炊き込みご飯が選択されており、ご飯が腐りやすい場合には、省エネ保温可能メニューではないと判断してステップＳ２２の高温保温１に移行する。一方、炊飯メニューとして例えば白米が選択されており、省エネ保温可能メニューである場合には、ステップＳ２６に進む。
【００４８】
ステップＳ２６では、保温経過時間を検出する。そして、保温経過時間が１２時間未満である場合にはステップＳ２７に進み、１２時間以上である場合には、ステップＳ２３の高温保温３に移行する。
【００４９】
ステップＳ２７では、省エネ保温経過時間設定処理で設定された省エネ保温経過時間ａのデータを読み込み、ステップＳ２８に進む。
【００５０】
ステップＳ２８では、省エネ保温経過時間設定処理で設定された省エネ保温経過時間ｂのデータを読み込み、ステップＳ２９に進む。
【００５１】
ステップＳ２９では、炊飯の完了を判断してステップＳ３１の省エネ保温１に移行する。炊飯完了による移行ではない場合、すなわちユーザが高温保温１から３のいずれかを実行中に保温選択スイッチ３１を押し、省エネ保温を希望した場合にはステップＳ３０に進み、保温の記憶を省エネ保温にする。そして、ステップＳ３１の省エネ保温１に移行する。
【００５２】
ステップＳ２９又はステップＳ３０の処理が終了すると、ステップＳ３１からステップＳ３４の省エネ保温を実行する。
【００５３】
具体的には、まずステップＳ３１で、図７（ａ）のＡに示す省エネ保温１を実行する。この省エネ保温１は、予め設定した省エネ保温経過時間ａが経過すると終了し、ステップＳ３２の省エネ保温２に移行する。また、保温選択スイッチ３１がオンされると、ユーザが高温保温を希望したとしてステップＳ３５に移行する。
【００５４】
ステップＳ３２では、図７（ａ）のＢに示す省エネ保温２を実行する。この省エネ保温２は、予め設定した省エネ保温経過時間ｂが経過すると終了し、ステップＳ３３の省エネ保温３に移行する。また、保温選択スイッチ３１がオンされると、ユーザが高温保温を希望したとしてステップＳ３５に移行する。
【００５５】
ステップＳ３３では、図７（ａ）のＣに示す省エネ保温３を実行する。この省エネ保温３は、ＲＯＭ３９に記憶された省エネ保温経過時間ｃが経過すると終了し、ステップＳ３４の省エネ保温４に移行する。また、保温選択スイッチ３１がオンされると、ユーザが高温保温を希望したとしてステップＳ３５に移行する。
【００５６】
ステップＳ３４では、図７（ａ）のＤに示す省エネ保温４を実行する。この省エネ保温４は、ＲＯＭ３９に記憶された省エネ保温経過時間ｄが経過する、又は保温を開始してから２４時間経過すると終了し、ステップＳ２２に移行する。また、保温選択スイッチ３１がオンされると、ユーザが高温保温を希望したとしてステップＳ３５に移行する。
【００５７】
ステップＳ３５では、保温の記憶を高温保温にしてステップＳ３６に進む。
【００５８】
ステップＳ３６では、高温保温２を実行する。この高温保温２とは、省エネ保温中にユーザが高温保温を行うことを希望して保温選択スイッチ３１を押した時に、７０℃で保温する保温状態を示す。すなわち、ステップＳ３１からステップＳ３４までの、どの段階で保温選択スイッチ３１がオンされても、ステップＳ３５を介してステップＳ３６に移行して高温保温２が実行されることで、米飯は７０℃に保温される。この時、保温選択スイッチ３１がオンされるとステップＳ２４に移行する。また、高温保温２の移行時間が経過すると、ステップＳ２３に移行する。
【００５９】
以上のように、省エネ保温経過時間ａは、複数のスイッチ、例えば予約スイッチ２５、メニュースイッチ３０及び無洗米スイッチ２９を同時に操作することにより、あらかじめ任意に設定できる。このため、炊飯器１１が使用される地域や設置される場所の、例えば室温に応じて省エネ保温経過時間ａを設定することで、飯温が低くなることによる腐敗菌の繁殖を防止することができる。即ち、炊飯器１１が設置される環境により異なる腐敗菌の繁殖する度合いにあわせて、例えば、室温が高い地域や設置場所で使用する場合には省エネ保温経過時間ａを長くして、室温が低い地域や設置場所で使用する場合には、省エネ保温経過時間ａを短くするなど、最適な保温制御を設定することができる。
【００６０】
また、生産される米に付着する腐敗菌の種類に合わせて地域毎（例えば日本と台湾）に省エネ保温経過時間ａを設定できるので、工場の製造ラインで出荷する地域により異なる腐敗菌の繁殖の度合いに応じた保温制御に設定して出荷することができる。
【００６１】
更に、炊飯実行後の省エネ保温経過時間ａを長く設定できるので、繁殖しやすい炊飯実行後の腐敗菌の繁殖を防止することができる。
【００６２】
省エネ保温経過時間ａは、炊飯前にあらかじめユーザが任意に設定することで自動に切り替わるため、一旦設定するとその後は各スイッチ２４〜３１の操作が必要なく、スイッチ２４〜３１の操作を忘れて高温保温が続くことによる米飯の黄変や、消費電力の増加を防止することができる。
【００６３】
更に、食事時間は家族の中でも異なる傾向があり、ご飯の食味は高温保温温度での保温時の方が美味しいため、省エネ保温経過時間ａを家族の食事時間に合わせて設定することにより、家族全員が美味しいご飯を食することができる。
【００６４】
そして、一般に食事時間のパターンは、一家族においては同じであり、省エネ保温経過時間ａを一旦設定するとその後はスイッチ２４〜３１の操作が必要ないので、いつも忘れることなく炊飯後一定時間経過後に自動的に省エネ保温２に移行し、長時間の保温にも耐えうる。
【００６５】
省エネ保温経過時間ｂを設定することができるので、環境の違いによる腐敗や黄変の進行に合わせて保温時間を設定して、食味レベルの高いご飯を提供することができる。また、家族の食事時間に合わせて省エネ保温２から省エネ保温３へ切り替えることで、高温で保温された美味しいご飯を食することができる。
【００６６】
３つのスイッチ、例えば予約スイッチ２５、メニュースイッチ３０、無洗米スイッチ２９を同時に操作することにより、省エネ保温処理を実行する省エネ保温経過時間ａとｂとを設定することとしているため、ユーザが誤って設定が変更されてしまい、腐敗菌の繁殖のしやすい地域にて、繁殖しやすい制御条件になるのを防止することができる。
【００６７】
なお、本発明の炊飯器１１は、前記実施形態の構成に限定されるものではなく、種々の変形が可能である。
【００６８】
省エネ保温経過時間ａに関しては、４時間に限定されず、腐敗菌が繁殖しない範囲で家族の食事時間に合わせて、例えば２時間であってもよく６時間であってもよい。
【００６９】
省エネ保温経過時間ｂに関しては、１０時間に限定されず、腐敗菌が繁殖しない範囲で家族の食事時間に合わせて、例えば１２時間であってもよい。
【００７０】
また、前記実施形態では、省エネ保温経過時間ａと省エネ保温経過時間ｂとの両方を設定できるようにしたが、いずれか一方のみとしてもよい。
【００７１】
更に、省エネ保温１の保温温度を７０℃、省エネ保温２の保温温度を６０℃にしたが、腐敗菌の繁殖の防止と米飯の黄変とを防止できる限り、保温温度は前記温度に限定されない。
【００７２】
前記実施形態では、複数のスイッチ、例えば予約スイッチ２５、メニュースイッチ３０、無洗米スイッチ２９を同時に操作することにより、省エネ保温経過時間ａを設定したが、選択スイッチ３１のみを操作することで、前記切り替え時間ａ及びｂを設定できる構成であってもよい。これにより、ユーザの操作性を向上できるという効果が得られる。
【図面の簡単な説明】
【００７３】
【図１】本発明の実施形態に係る炊飯器を示す概略構成図。
【図２】図１の炊飯器の操作パネルの正面図。
【図３】（ａ）〜（ｃ）は予約スイッチ、メニュースイッチ、無洗米スイッチを同時に操作した後、上スイッチを操作した場合の液晶パネルの表示変更を示す正面図。
【図４】（ａ）〜（ｃ）は図３の液晶パネルの状態で保温選択スイッチを操作した後、下スイッチを操作した場合の液晶パネルの表示変更を示す正面図。
【図５】本発明に係る省エネ保温経過時間設定処理を示すフローチャート。
【図６】本発明に係る保温実行時間制御処理を示すフローチャート。
【図７】（ａ）は本発明に係る省エネ保温実行中の米飯保温温度変化の一例を示す図（ｂ）は高温保温実行中の米飯保温温度変化の一例を示す図。
【符号の説明】
【００７４】
１１  炊飯器
１３  内鍋
１７  炊飯ヒータ（炊飯手段）
１８,１９  保温ヒータ（保温手段）
３７  制御基板（制御手段）
【図１】
2010000200.tif 000003
【図２】
2010000200.tif 000004
【図３】
2010000200.tif 000005
【図４】
2010000200.tif 000006
【図５】
2010000200.tif 000007
【図６】
2010000200.tif 000008
【図７】
2010000200.tif 000009